(57)【要約】【課題】装置操作の手順を簡略化して装置操作に関する学習時間を短縮し且つ作業権限者に対応して操作を限定する電子部品搭載装置を提供する。【解決手段】設定用操作画面２５の上方の表示領域２６の表示窓２７には多数の操作画面に対応して予め作成されているショートカット表示するためのアイコン２８が表示される。設定責任者は必要に応じて作業のグループ化をグループ名選択入力枠３５によって行って、表示窓２７から所望のアイコン２８を下方の表示領域３４の表示窓３９に複写し、これらのアイコン２８で階層構造の経路を短縮して表示される操作画面に対して入力操作が許される立場の作業者を使用者設定欄４１の中から選択して、「設定」ボタン３７により上記の操作画面ごとのアイコンと作業者との対応付けを確定させて本体装置に登録する。【選択図】  図１
2004165522.tif 000002
【特許請求の範囲】
【請求項１】
プリント基板に電子部品を自動搭載する電子部品搭載装置において、
階層構造の操作画面の所望の操作画面にそれぞれ対応するアイコンを有し該アイコンの中から所望のアイコンを該アイコンに係わる操作画面に対する操作権限を有する作業者に対応付けて設定するアイコン／作業者設定手段と、
該アイコン／作業者設定手段により設定されたアイコンを表示して該アイコンが該アイコンに対応付けられている前記作業者により選択入力されたとき該アイコンに対応する操作画面を直ちに表示画面に表示する経路短縮表示手段と、
を有することを特徴とする電子部品搭載装置。
【請求項２】
前記アイコン／作業者設定手段は、設定される前記アイコンを該アイコンに係わる操作画面の作業内容または前記作業者に応じてグループ化するグループ化手段を有することを特徴とする請求項１記載の電子部品搭載装置。
【発明の詳細な説明】
【０００１】
【発明の属する技術分野】
本発明は、装置操作の手順を簡略化して装置操作に関する学習時間を短縮し且つ作業権限者に対応して操作を限定できる電子部品搭載装置に関する。
【０００２】
【従来の技術】
従来より、本体装置内に搬入されるプリント回路基板（以下、単に基板という）に電子部品（以下、単に部品という）を搭載する電子部品搭載装置がある。
図４（ａ）  は、そのような電子部品搭載装置の外観斜視図であり、同図（ｂ）  は、その上下の保護カバーを取り除いて内部の構成を模式的に示す斜視図である。
【０００３】
同図（ａ）  に示すように、電子部品搭載装置１は、天井カバー上の前後に、それぞれＣＲＴディスプレイからなるモニタ装置２と、同じく天井カバー上の左右に、それぞれ稼動状態を報知する警報ランプ３を備えている。また、上部保護カバー４の前部と後部の面には、液晶ディスプレイとタッチ式入力装置からなり外部からの操作により各種の指示を入力することができる小型の表示入力パネル５が配設されている（図の右斜め上方向になる後部の表示入力パネル５は陰になって見えない）。
【０００４】
下部の基台６の上には、中央に、固定と可動の１対の平行する基板案内レール７が同図（ｂ）  に示すプリント回路基板（以下、単に基板という）８の搬送方向（Ｘ軸方向、図の斜め右下から斜め左上方向）に水平に延在して配設される。これらの基板案内レール７の下部に接して、図には見えないループ状の搬送ベルト（コンベアベルト）が走行可能に配設される。
【０００５】
搬送ベルトは、それぞれ数ミリ幅のベルト脇部を基板案内レール７の下から基板搬送路に覗かせて、不図示のベルト駆動モータにより駆動され、基板搬送方向に走行し、基板８の裏面両側を下から支持しながら装置本体内に部品搭載前の基板８をライン上流側から搬入し、部品搭載済みの基板８を順次ライン下流側に搬出する。この電子部品搭載装置１内には、常時２枚の基板８が搬入され、位置決めされて、部品の搭載が終了するまで固定されている。
【０００６】
基台６の前後には、それぞれ電子部品供給台９が形成されている（同図（ａ）  では図の右斜め上方向になる後部の電子部品供給台９は陰になって見えない。また、同図（ｂ）  では、後部の電子部品供給台９は図示を省略している）。電子部品供給台９には、テープカセット式電子部品供給装置１１（以下、テープフィーダという）が多数配置される。
【０００７】
また、基台６の上方には、二本のＸ軸レール１２とこのＸ軸レール１２上にＸ軸方向（図の右斜め下から左斜め上方向）に摺動自在に支持されたＹ軸レール１３とが、それぞれ左右に配置され、それぞれのＹ軸レール１３には、２台の作業ヘッド支持塔１４がＹ軸方向（図の左斜め下から右斜め上方向）に摺動自在に懸架されている。つまりここに示す電子部品搭載装置１には合計４台の作業ヘッド支持塔１４が配設されている。
【０００８】
各作業ヘッド支持塔１４には、図の例では２個の作業ヘッド１５が上下（Ｚ方向）に昇降自在に且つ３６０度方向（θ方向という）に回転自在に配設されている。すなわち、電子部品搭載装置１には合計８個の作業ヘッド１５が配設されており、各作業ヘッド１５は、Ｙ軸レール１３によるＸ軸方向への移動、作業ヘッド支持塔１４によるＹ軸方向への移動、及び作業ヘッド１５自身によるＺ軸方向への移動とθ方向への回転により、前後左右上下及び３６０度方向への位置を自在に制御される。
【０００９】
これらの作業ヘッド１５は、テープフィーダ１１やトレイ式電子部品供給装置等によって吸着部まで供給される所定の部品を吸着ノズルによって吸着し、その吸着した部品を基板８の所定の搭載位置に搭載する。
そして、基台６の内部には、特には図示しないが、基板の位置決め装置、基板を２本の基板案内レール７間に固定する基板固定機構、各部を制御するための制御装置等が備えられている。
【００１０】
このような電子部品搭載装置において、現場の作業者が電子部品搭載装置に或る動作例えばティーチングなどの動作をさせたり、またプログラム作成担当作業者などが部品データマスターファイルなどのデータの確認を行うような場合には、それぞれ作業者は表示入力パネル５を操作して、その表示入力パネル５に画面表示される予め決められている操作画面の階層を順次たどって行き、最終的に目的の操作画面を表示させて、電子部品搭載装置に目的とする動作をさせたり、またはデータの確認などを行うようになっていた。
【００１１】
図５（ａ），（ｂ）  は、そのような表示入力パネル５に表示される操作画面の例を示す図である。同図（ａ）  に示す操作画面１６は、本体装置（電子部品搭載装置）への操作を開始する初期画面を経て表示される画面であり、最上段中央に「ＴＯＰメニュー」の表示があり、この画面がトップメニューの画面であることを示している。このトップメニュー画面が最初の階層すなわち第１階層の表示画面である。また、この画面がトップメニュー画面であるため、最上段右側には「ＴＯＰ」ボタン１７と「＜戻る」ボタン１８が並んで表示されているが、これらのボタンの機能は停止されており、そのため薄い色で表示されている。
【００１２】
これら最上段の表示のすぐ下に、最初の作業内容を選択するための初期選択ボタン表示領域１９がある。この初期選択ボタン表示領域１９には、生産管理、外段取り、内段取り、生産、及び保守の作業内容を示す５つのボタンが表示されている。これら５つのボタンで示される作業内容は、第１階層のトップメニュー画面（操作画面１６）に対して第２階層を形成している。そして、同図（ａ）  に示す例では、外段取りのボタンが押された状態で表示され、この第１階層の操作画面１６で「外段取り」の作業が選択されたことを示している。
【００１３】
初期選択ボタン表示領域１９の下には、製品情報表示領域２０があり、この製品情報表示領域２０には、予め入力されている製品名称、基板名称、製造指示の三項目の内容が、それぞれの表示用枠内に表示されている。
この製品情報表示領域２０の下方にメニューボタン表示領域２１がある。このメニューボタン表示領域２１には、上記の初期選択ボタン表示領域２９において「外段取り」のボタンが押されて外段取りの作業が選択されたことにより、外段取りに係わる作業内容のメニューが、上下２段に分かれて８個のイメージボタンによって表示されている。
【００１４】
８個のイメージボタンの上段の４個は、左から右へ、基板作成・選択、座標・部品データ作成、製造指示作成・選択、製造指示編集となっており、下段の４個は、部品マスタ作成、ＯＦＦＬＩＮＥ  Ｔｅａｃｈｉｎｇ、搬送系設定、Ｏｎｌｉｎｅ  Ｔｅａｃｈｉｎｇ、となっている。これら８個のイメージボタンで示される作業内容は、第２階層の初期選択ボタン表示領域１９に表示されている各作業内容を示すボタンに対して次段の階層つまり第１階層のトップメニュー画面（操作画面１６）に対して第３階層を形成している。
【００１５】
もし、作業者が初期選択ボタン表示領域１９において外段取りのボタン以外のボタンを押していれば、その押されたボタンに対応する作業のメニューが、イメージボタンによって、同図（ａ）  のメニューボタン表示領域２１に示されると同様な表示形式で表示される。したがって、例えば、初期選択ボタン表示領域１９の５個のボタンごとに、それぞれ作業のメニューを示すイメージボタンが、外段取りの場合と同様に８個あるとすれば、この操作画面１６によって選択され得る第３階層の作業内容は５×８＝４０、すなわち４０種類あることになる。
【００１６】
同図（ａ）  のメニューボタン表示領域２１の表示において、例えば上段の右端の製造指示編集のボタンが押されると、同図（ｂ）  に示すような画面が表示される。この表示画面の最上段中央には、「段取り情報−配置図」と表示されており、この後の画面選択によって入力、変更等で編集される製造指示編集の作業に係わる種々のデータを下方中央全体を占める段取情報表示領域２２に表示するようになっている。また、同図（ａ）  のトップメニュー画面にいつでも戻れるように、最上段右側の「ＴＯＰ」ボタン１７の機能停止が解除され、濃い色で表示されている。また、選択のし直しができるように「＜戻る」ボタン１８の機能停止が解除され、濃い色で表示されている。
【００１７】
この最上段の表示領域と段取情報表示領域２２の間に、次段選択ボタン表示領域２３が設けられている。この次段選択ボタン表示領域２３には、同図（ｂ）  の例では、左から右へ、データ、表示切替、空欄、ティーチング、印刷、ツール、選択／解除、空欄、空欄となっている。空欄のボタンは、この画面で不要な機能を有する表示位置のボタンであり、したがってボタン上の表示が空欄になっている。
【００１８】
同図（ｂ）  に示すような表示画面は、勿論表示内容は異なるが、上述したように第３階層の表示画面として、４０種類の表示画面が選択に応じて表示可能に用意されている。
同図（ｂ）  に示す「外段取り」作業の中の「製造指示編集」作業を行う表示画面において、一例として、次段選択ボタン表示領域２３の左から２番目に表示されている表示切替ボタンが入力操作された場合を説明する。
【００１９】
図６（ａ）  は、上記の図５（ｂ）  の表示画面を再掲したものである。この表示画面の表示切替ボタンが入力操作されるごとに、図６（ｂ）  に示すように、段取情報表示領域２２に表示される内容が、上から順に、ＮＣプログラム一覧、フィーダ設定一覧、ノズル設定一覧、パレット設定一覧、基板情報、子基盤情報等の６種類の画面に巡回して切り替わる。これらの図６（ｂ）  に示す６つの表示画面は、第４階層を形成する表示画面群である。
【００２０】
また、段取情報表示領域２２に表示される内容が切り替わっても、図６（ａ）  に示す第３階層の表示画面から表示がそのまま継続している次段選択ボタン表示領域２３（図５（ｂ）  参照）のボタン表示は基本的には変わらないが、中には空欄であったボタンに表示が付加されて機能停止が解除されたり、逆に表示が空欄に変化してボタン機能が停止されることもある。
【００２１】
ここで、４０種類の第３階層の表示画面の全てに図６（ｂ）  に示すように６つの第４階層の表示画面があるものとすれば、第４階層の表示画面は、４０×６＝２４０、すなわち２４０種類の表示画面が第４階層の表示画面として選択に応じて表示可能に用意されていることになる。実際には第３階層の全ての表示画面の下の階層に６つの画面を持っているわけではなく、これより多いものもあれば少ないものもある。概ね２４０種類前後ということである。
【００２２】
これらの図６（ｂ）  に示す第４階層の表示画面において、選択ボタン表示領域２３の例えばティーチングボタンを押したとすると、例えばＮＣプログラム一覧の表示画面からは、ティーチングボタンを押すごとに、同図（ｃ）  に示すように、搭載座標ティーチング実行の表示画面、基板マークティーチング実行の表示画面、部品マスターティーチング実行の表示画面の３つの表示画面が順次巡回して切り替わる。
【００２３】
また、例えばフィーダー設定一覧の表示画面からは、図示は省略するが、更に多くのティーチング実行の表示画面が順次切り替わって表示される。また、例えばノズル設定一覧の表示画面からは、ノズルティーチング実行の表示画面が表示される。
【００２４】
これらの画面は第５階層の表示画面を示している。この場合も、第４階層の各表示画面に対応する第５階層の表示画面は、上記のように３つの表示画面を持つものもあれば、１つの表示画面をもつものもある。仮に中を取って、それぞれが２つの表示画面を持つものとすると、最終の第５階層の表示画面は２×２４０＝４８０となって、およそ４８０前後の表示画面がメモリ装置内に用意されていることになる。
【００２５】
【発明が解決しようとする課題】
ところで、従来の電子部品搭載装置は、上述したように電子部品搭載装置の製造工場側から提供される階層構造の操作画面に従って操作する必要があったので、電子部品搭載装置を購入して基板ユニットを生産する装置使用工場側の装置を操作する作業者は、その階層構造の操作画面の画面構成や階層構成について学習する必要があった。
【００２６】
例えば、ティーチングを行う作業の担当者の場合であれば、ティーチングを指示するための第５階層の操作画面に到達するためには全体の階層構造の中でどのように階層を辿っていけば良いのかを知っている必要がある。そのためには、所望の表示画面が全体の階層構造の中でどこに所在しているかを覚えておく必要があった。このため、装置を操作する作業者として新入社員を教育にする際しては極めて長い時間を要するという問題があった。
【００２７】
また、装置操作のための操作画面の画面構成や階層構成についての学習が完了した後においても、所望の操作画面を表示画面に表示させるまで初期画面から階層をたどって操作していかねばならないから、操作の効率が低下する場合が多々あって、装置操作の作業能率の向上を阻害するという問題もあった。
【００２８】
また、階層をたどって操作すれば誰でも全ての操作画面の中の任意の操作画面を表示させて入力操作することができるため、例えばプログラムの入力操作画面のように、その操作画面の作業権限者でなければ操作してはならない操作画面に作業権限の無い作業者によって不適切な入力操作が行われると、後々電子部品搭載装置の稼動に不具合を発生させる虞が多分にある。したがって、そのような不具合の発生要因を排除するために、操作画面とその作業権限者との関係を適正に管理する必要がある。しかし、誰でも全ての操作画面に対して入力操作することができるため、操作画面とその作業権限者との関係を適正に管理するということは、操作画面と作業者とを誰かが常に監視していなければならないことになり、このような管理は実施的に不可能に近く、実行するにしても多大な困難を伴うという問題を有していた。
【００２９】
本発明の課題は、上記従来の実情に鑑み、装置操作の手順を簡略化して装置操作に関する学習時間を短縮し且つ作業権限者に対応して操作を限定する電子部品搭載装置を提供することである。
【００３０】
【課題を解決するための手段】
以下に、本発明に係わる電子部品搭載装置の構成を述べる。
本発明の電子部品搭載装置は、プリント基板に電子部品を自動搭載する電子部品搭載装置において、階層構造の操作画面の所望の操作画面にそれぞれ対応するアイコンを有し該アイコンの中から所望のアイコンを該アイコンに係わる操作画面に対する操作権限を有する作業者に対応付けて設定するアイコン／作業者設定手段と、該アイコン／作業者設定手段により設定されたアイコンを表示して該アイコンが該アイコンに対応付けられている前記作業者により選択入力されたとき該アイコンに対応する操作画面を直ちに表示画面に表示する経路短縮表示手段と、を有して構成される。
【００３１】
上記アイコン／作業者設定手段は、例えば請求項２記載のように、設定される前記アイコンを該アイコンに係わる操作画面の作業内容または前記作業者に応じてグループ化するグループ化手段を有して構成される。
【００３２】
【発明の実施の形態】
以下、本発明の実施の形態を図面を参照しながら説明する。
本発明の実施の形態における電子部品搭載装置は、図４（ａ），（ｂ）  に示したと同様の電子部品搭載装置である。但し、基台内部に配設されている制御部の処理動作が異なる。本例において制御部は、特には図示しないがＣＰＵ（ｃｅｎｔｒａｌ  ｐｒｏｃｅｓｓｉｎｇ  ｕｎｉｔ）とこのＣＰＵにバスを介して接続されたＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、画像処理部、Ｉ／Ｏ（入出力）インターフェース等からなり、Ｉ／Ｏインターフェースには、入力用モニタ、キー入力部、サーボモータ、位置決め装置、異常報知ランプ、ＨＤ（ｈａｒｄ  ｄｉｓｋ）等の外部記憶装置、エリアセンサ、リミットセンサ、基板センサ等が接続されている。なお、上記の入力用モニタは、図４（ａ）  に示した表示入力パネル５と同様の表示入力機能を有している。
【００３３】
上記のＲＡＭまたは外部装置には、電子部品搭載装置の各種の操作に係わる操作画面が、全ての操作に対応して予め作成されて所定の領域に格納されている。そして、これら全ての操作画面または必要とされる操作画面に対するアイコンが、それぞれ予め作成されて同様にＲＡＭまたは外部装置の所定の領域に格納されている。
【００３４】
上記のＣＰＵは、本発明特有の処理において、初期画面からの作業者による指示に基づいて、上記各種の操作画面を入力用モニタに表示する。
図１は、初期画面からの作業者による指示に基づいて入力用モニタに表示される画面であり、操作画面と作業者との限定関係を設定する設定用の操作画面の例を示す図である。同図に示す操作画面は、アイコン／作業者設定手段としての設定用の操作画面であり、階層構造の操作画面にそれぞれ対応する全てのアイコンを表示することができ、これらのアイコンの中から所望のアイコンをそのアイコンに係わる操作画面に対する操作権限を有する作業者に対応付けて設定することができる。
【００３５】
同図に示すように、設定用操作画面２５は、段取情報表示領域２２が上下に分割され、上方の表示領域２６には、最上部の「設定可能なショートカットアイテム」の表示の下方に、広い表示窓２７が設けられ、その中に多数のショートカットアイコン（以下、単にアイコンという）２８が、スクロールボタン２９の操作によって上下にスクロール可能に表示されている。
【００３６】
上記のアイコン２８は、同図で表示窓２７に見えているものだけについていえば、左上かから右へ、基板作成情報、外段取り配置図、最適化、座標データ一覧、製品表一覧、及び子基板情報一覧、次に左下から右へ、製造指示選択（機種選択）、搬送系設定、ＮＣ配置図、ＮＣプログラム一覧、フィーダー配置一覧、及びパレット配置一覧、となっている。これらの下方には更に多くのアイコン２８が隠れて並んでおり、それらのアイコン２８は、スクロールボタン２９を操作して表示を上方にスクロールさせることにより、表示窓２７に順次表示させることができる。
【００３７】
この設定用操作画面２５の上方の表示領域２６には、表示窓２７の左方に背景色変更ボタン３１とアイコンサイズ指定枠３２が表示されている。背景色変更ボタン３１を押すごとに、表示窓２７内の背景色が所定の順番で順次変更される。また、アイコンサイズ指定枠３２には、その右端にあるメニュー表示ボタン３３を押してアイコンサイズのメニューのプルダウン表示させ、その中から所望のサイズのメニューを選択すると、選択されたサイズがアイコンサイズ指定枠３２に表示され、その表示されたサイズに、表示窓２７内に表示されているアイコン２８のサイズが変更される。
【００３８】
これらのアイコン２８は、各アイコン２８ごとに関連付けられている操作画面を、途中の階層を跳び越してショートカット表示するためのアイコンである。そして、そのショートカット表示される操作画面と、その操作画面の操作を許可されている作業者との関係を特定して、その関係を設定登録するためのアイコンでもある。そのような操作画面と作業者との関係を設定する責任者によって、この設定用操作画面２５が操作されている。
【００３９】
操作画面と作業者との関係を設定する責任者は、設定用操作画面２５のアイコン／作業者設定手段としての下方の表示領域３４を使用して、操作画面と作業者との関係を設定する。
下方の表示領域３４には、最上部に「現在設定されているショートカットアイテム」との表示があり、その下に「グループ名：」の表示、グループ化手段としてのグループ名選択入力枠３５の表示、メニューボタン３６の表示、「設定」ボタン３７、及び「解除」ボタン３８の表示と続いており、その下に広い表示窓３９が設けられている。そして、これらの表示の右方に、使用者設定欄４１が設けられている。
【００４０】
同図に示す例では、グループ名選択入力枠３５の中には、メニューボタン３６によってプルダウン表示されたグループ名メニューの中から責任者によって選択されたグループ名「段取り作業」が表示されている。一般に段取り作業には種々の作業が含まれ、それらの作業を実行する機能は、電子部品搭載装置の使用者側で頻繁に使用する機能である。そのため、このように段取り作業に係わる例えば種々のティーチング作業などを、同図のようにグループ化しておくと、後述するように直ちにその作業に入ることが出来て便利である。
【００４１】
また、上記の使用者設定欄４１の中には、上から下へ、「限定しない」、「設備管理者」、「生産技術者」、「生産管理者」、「システム管理者」の５個の使用者設定ボタンが表示されており、同図の例では、「限定しない」ボタンが押されている。これは責任者が、誰もが入力操作することが出来る（許可される）ことを指定したものである。
【００４２】
責任者は、このように「限定しない」ボタンを押して（後述するアイコンを選択して複写してから後に押してもよい）、誰もが操作画面の入力操作を行うことが出来るように指定した後、上方の表示領域２５の表示窓２７内に表示されているアイコン群の中から、誰でも入力操作をしても良い操作画面のアイコン２８を選択し、そのアイコン２８を、下方の表示領域３４の表示窓３９内に、クリック・アンド・ドローで複写する。
【００４３】
同図に示す例では、下方の表示領域３４の表示窓３９内には、「座標ティーチング」、「マークティーチング」、「ノズルティーチング」、「部品ティーチング（段取り表選択）」の４つのアイコン２８が複写されている。ここで、「設定」ボタン３７が押されると、段取り作業に係わるそれら４つのアイコン２８にそれぞれリンクして呼び出される上記４種類のティーチング作業に係わる操作画面が、誰でも入力操作をしても良い操作画面として設定登録される。
【００４４】
また、使用者設定欄４１の中の他の４つの使用者設定ボタンのいずれかが押された場合は、下方の表示領域３４の表示窓３９内に複写されたアイコン２８にリンクする操作画面が、押された使用者設定ボタンに表示されている立場の作業者に対してのみ入力操作が許可される操作画面として設定登録される。
【００４５】
例えば、システム管理者ボタンは、初期画面にシステム管理者としてパスワードを入力してログインした者でないとでないと押すことがきない（押しても無視される）。つまり、表示窓３９内に複写されたアイコン２８によって表示されるシステム操作画面は、システム管理者でないと、入力用モニタに表示させることが出来ない。このような操作画面による入力操作の制限設定は、他の使用者設定ボタンの場合も同様である。
【００４６】
図２及び図３は、上記のように操作画面と作業者との限定関係が設定された後において入力用モニタに表示される表示画面の動作状態を示す図である。
先ず、図２は、初期画面４２を示しており、図５（ａ）  に示したと同様に、最上段表示領域４３の中央に「ＴＯＰメニュー」の表示があり、この画面がトップメニューの画面であることを示している。この場合も、このトップメニュー画面が最初の階層すなわち第１階層の表示画面である。また、この表示画面においても、最上段表示領域４３の右側には「ＴＯＰ」ボタンと「＜戻る」ボタンが並んで表示されている。
【００４７】
その最上段表示領域４３の次段の初期選択ボタン表示領域４４には、これも図５（ａ）  の場合と同様に、生産管理、外段取り、内段取り、生産、保守の作業内容を示す５つのボタンが表示されているが、本例の場合は、更に並んでショートカットボタン４５が表示されている。また、本例では、最下段表示領域４６が設けられており、ここには、「段取り作業」ボタン４７と「生産関係」ボタン４８の２つのボタンが表示されている。
【００４８】
この最下段表示領域４６と上記の初期選択ボタン表示領域４４の間に、広く大きな入力操作画面表示領域４９が設けられている。入力操作画面表示領域４９には、この表示画面が初期画面であるため、何も表示されておらず空白である。
ここで、上記のショートカットボタン４５以外の５つのボタンのいずかを押すと、図５（ａ），（ｂ）  及び図６で説明したと同様の階層構造を順に辿って所望の操作画面を入力操作画面表示領域４９に表示させなければならないことになる。
【００４９】
しかし、本例では、例えば誰でも入力操作が可能な「段取り作業」ボタン４７を押し、更にショートカットボタン４５を押すことによって、階層構造を順に辿ることなく所望の操作画面を迅速に入力用モニタに表示させることができる。
図３は、上記最初に表示される初期画面４２に続いて表示される表示画面の動作状態を示す図である。同図の左上にはショートカット用画面５０が示されている。このショートカット用画面５０までは、画面の表示領域の構成が初期画面４２の場合と同一に構成されている。すなわち、このショートカット用画面５０には上から下へ順に、最上段表示領域４３、初期選択ボタン表示領域４４、入力操作画面表示領域４９、及び最下段表示領域４６が設けられている。
【００５０】
また、入力操作画面表示領域４９以外の表示領域に表示されている表示やボタン類も、初期画面４２の場合と同一である。そして、入力操作画面表示領域４９には、初期画面４２にように空白ではなく、図２において「段取り作業」ボタン４７とショートカットボタン４５が押されたことにより、図１において下方の表示領域３４の表示窓３９に複写されて段取り作業グループに編集されていた「座標ティーチング」、「マークティーチング」、「ノズルティーチング」及び「部品ティーチング（段取り表選択）」の４つのアイコン２８がショートカット表示用のアイコンとして表示されている。
【００５１】
ここで４つのアイコン２８のうち例えば左から３番目に表示されている「ノズルティーチング」のアイコン３８を選択入力すると、同図中央の上に示すようにノズル設定一覧の操作画面５１が入力用モニタの画面全体に表示される。このノズル設定一覧の操作画面５１は、図５に示した従来例の第２及び第３の階層を跳び越して、図６（ｂ）  の上から３番目に示した第４階層のノズル設定一覧の操作画面が表示されたものである。
【００５２】
このノズル設定一覧の操作画面５１で、ノズルティーチングを行うべきノズルの種別を選択した後、ノズルティーチングの実行を細かく指示する図３の右上に示す第５階層の最終操作画面に移行する。このように、ノズルティーチングの場合は、ティーチング実行の前にノズルの種別を選択する必要があるため、直ちに第５階層の最終操作画面を表示させることは出来ないが、それでも、第２及び第３の階層を跳び越して直ちに第４階層のノズル設定一覧の操作画面５１を表示させることができる。
【００５３】
また、図３のショートカット用画面５０において、４つのアイコン２８のうち例えば左から２番目に表示されている「マークティーチング」のアイコン３８を選択入力すると、同図中央の中段に示すように、基板マークティーチング実行の操作画面５２が入力用モニタの画面全体に表示される。基板マークティーチング実行の操作画面５２は、図５に示した従来例の第２、第３、及び図６（ｂ）  に示した第４階層を跳び越して直ちに第５階層の基板マークティーチング実行の操作画面が表示されたものである。このように、事前に設定の必要のない第５階層の操作画面の場合には、第２、第３、第４の階層を跳び越して直ちに表示させることができる。
【００５４】
また、図３のショートカット用画面５０に示す例では、４つのアイコン２８のうち例えば左から１番目に表示されている「座標ティーチング」のアイコン３８が選択入力された場合の例も示している。この場合も、座標ティーチングではＮＣプログラムによって座標の表示方式が異なるので、事前にどのＮＣプログラムについての座標ティーチングであるかを指定する必要がある。そのため、第２と第３の階層だけを跳び越して、第４の階層のＮＣプログラム一覧の操作画面５３が直ちに表示されるようになっている。この操作画面でＮＣプログラムを指定してから「ティーチング」ボタンを押すことにより、第５階層の最終画面である図３の右下に示す搭載座標ティーチング実行の操作画面を表示させることになる。それでも、第２及び第３の階層を跳び越して直ちに第４階層のＮＣプログラム一覧の操作画面５３を表示させただけ画面上の表示切替操作が迅速に行われ、操作画面への入力作業の速度が格段に向上する。
【００５５】
このように操作画面ごとのアイコンと作業者とを対応付けて設定できるので、作業者が自分の担当する操作画面を階層構造の中の階層位置に関わりなく迅速に表示させることができ、これにより、作業初心者による操作画面の学習時間が短縮されると共に画面操作の際の繰作手順が簡略化されて装置操作の作業能率が向上する。
【００５６】
また、操作画面ごとのアイコンと作業内容とをグループ化して応付けて設定できるので、電子部品搭載装置使用者側の使用形態にあった操作手順を容易に作成でき、したがって、作業初心者でも適切な操作画面からのみの入力操作が容易となり、これにより、入力操作ミスを防止して不具合の発生を低減させることが可能となる。
【００５７】
また、同様に操作画面ごとのアイコンと作業者とを対応付けて設定できるので、作業権限者に対応して操作画面の操作を限定することができ、したがって、作業権限の無い作業者によって不適切な入力操作が行われる虞が無く、これにより、原因究明に困難を伴う不測の不具合の発生を大きく軽減させることができる。
【００５８】
【発明の効果】
以上説明したように、本発明によれば、操作画面ごとのアイコンと作業者とを対応付けて設定できるので、作業者が自分の担当する操作画面を階層構造の中の階層位置に関わりなく迅速に表示させることができ、これにより、作業初心者による操作画面の学習時間が短縮されると共に画面操作の際の繰作手順が簡略化されて装置操作の作業能率が向上する。
【００５９】
また、操作画面ごとのアイコンと作業内容とをグループ化して応付けて設定できるので、電子部品搭載装置使用者側の使用形態にあった操作手順を容易に作成でき、したがって、作業初心者でも適切な操作画面からのみの入力操作が容易となり、これにより、入力操作ミスを防止して不具合の発生を低減させることが可能となる。
【００６０】
また、操作画面ごとのアイコンと作業者とを対応付けて設定できるので、作業権限者に対応して操作画面の操作を限定することができ、したがって、作業権限の無い作業者によって不適切な入力操作が行われる虞が無く、これにより、原因究明に困難を伴う不測の不具合の発生を大きく軽減させることができる。
【図面の簡単な説明】
【図１】初期画面からの作業者による指示に基づいて入力用モニタに表示される操作画面を作業者との限定関係を設定する設定用操作画面の例を示す図である。
【図２】操作画面と作業者との限定関係が設定された後において入力用モニタに表示される表示画面の動作状態を示す最初の表示画面を示す図である。
【図３】操作画面と作業者との限定関係が設定された後において入力用モニタに表示される表示画面の動作状態を示す最初の表示画面に続いて表示される表示画面の動作状態を示す図である。
【図４】（ａ）  は従来の電子部品搭載装置の外観斜視図、（ｂ）  はその上下の保護カバーを取り除いて内部の構成を模式的に示す斜視図である。
【図５】（ａ），（ｂ）  は従来の電子部品搭載装置の表示入力パネルに表示される操作画面の例を示す図である。
【図６】（ａ）  は図４（ｂ）  の操作画面を再掲した図、（ｂ）  はその下の階層の操作画面の例を示す図、（ｃ）  は更にその下の階層の操作画面の例を示す図である。
【符号の説明】
１    電子部品搭載装置
２    モニタ装置
３    警報ランプ
４    上部保護カバー
５    表示入力パネル
６    基台
７    基板案内レール
８    プリント回路基板
９    電子部品供給台
１１  テープカセット式電子部品供給装置
１２  Ｘ軸レール
１３  Ｙ軸レール
１４  作業ヘッド支持塔
１５  作業ヘッド
１６  操作画面
１７  「ＴＯＰ」ボタン
１８  「＜戻る」ボタン
１９  初期選択ボタン表示領域
２０  製品情報表示領域
２１  メニューボタン表示領域
２２  段取情報表示領域
２３  次段選択ボタン表示領域
２５  設定用操作画面
２６  上方の表示領域
２７  表示窓
２８  ショートカットアイコン
２９  スクロールボタン
３１  背景色変更ボタン
３２  アイコンサイズ指定枠
３３  メニュー表示ボタン
３４  下方の表示領域
３５  グループ名選択入力枠
３６  メニューボタン
３７  「設定」ボタン
３８  「解除」ボタン
３９  表示窓
４１  使用者設定欄
４２  初期画面
４３  最上段表示領域
４４  初期選択ボタン表示領域
４５  ショートカットボタン
４６  最下段表示領域
４７  「段取り作業」ボタン
４８  「生産関係」ボタン
４９  入力操作画面表示領域
５０  ショートカット用画面
５１  ノズル設定一覧の操作画面
５２  基板マークティーチング実行の操作画面
５３  ＮＣプログラム一覧の操作画面
【図１】
2004165522.tif 000003
【図２】
2004165522.tif 000004
【図３】
2004165522.tif 000005
【図４】
2004165522.tif 000006
【図５】
2004165522.tif 000007
【図６】
2004165522.tif 000008